(57)【要約】【課題】例えば、画面方向が変えられるテレビ受像機に採用される回転駆動装置の駆動部を含む要部構成部を、その使用状態に応じて再利用する際に、その判断となるデータの保持を、低コストで実現可能な回転駆動装置を提供する。【解決手段】駆動ギヤ３ａと、これを回転駆動する駆動モータと、押圧レバーの変位に応じてオン／オフする押圧スイッチ９とを有するギヤボックス３と、このギヤボックスを下部に配設するキャビネット２と、このキャビネット２を回転自在に支持し、駆動ギヤ３ａと歯合する従動ギヤ４ａと前記押圧レバーと係合する係合凸部を備え、駆動ギヤ３ａの回転に応じてキャビネット２が回動するのを支えると共に、係合凸部が前記スイッチをオン／オフする回転台４と、押圧スイッチの少なくともオン／オフ回数情報を記憶するデータ記憶回路とを設ける。【選択図】        図１
2004289553.tif 000002
【特許請求の範囲】
【請求項１】
駆動ギヤと、該駆動ギヤを回転駆動する駆動源と、レバーの変位に応じてオン／オフするスイッチとを有するギヤボックスと、
前記ギヤボックスを装着する第１の部材と、
該第１の部材に対して相対的に回転可能に結合すると共に、前記駆動ギヤと歯合する従動ギヤと前記レバーと係合する係合部とを備え、前記駆動ギヤの回転に応じて、前記第１の部材に対して相対的に回転すると共に前記係合部が前記レバーに作用して前記スイッチをオン／オフする第２の部材と、
少なくとも前記スイッチのオン／オフ回数情報を記憶すると共に、外部機器による前記オン／オフ回数情報の取り込みを可能とする接続部を有する記憶部と
を有することを特徴とする回転駆動装置。
【請求項２】
前記記憶部によって、更に前記スイッチのオン／オフの時間間隔情報も記憶することを特徴とする請求項１記載の回転駆動装置。
【請求項３】
前記記憶部の記憶手段としてＥＥＰＲＯＭを使用したことを特徴とする請求項１記載の回転駆動装置。
【請求項４】
前記第１の部材をディスプレイ装置のキャビネットとし、前記第２の部材を前記キャビネットの回転台としたことを特徴とする請求項１乃至３の何れかに記載の回転駆動装置。
【請求項５】
前記記憶部を前記キャビネット内に配設された回路基板に設けたことを特徴とする請求項４記載の回転駆動装置。
【発明の詳細な説明】
【０００１】
【発明の属する技術分野】
本発明は、映像機器等の画面の表示方向を任意に設定するための回転駆動装置に関し、特に回転機構の回転頻度をチェック可能とした回転駆動装置に関する。
【０００２】
【従来の技術】
従来、この種の稼動状態のチェック方法として、例えば人が加重を与えることにより寿命が低減する部品の再利用の可否を判定するものがあり、圧力センサー、赤外線センサー、温度センサー等を用いて、使用回数、使用時間、加重履歴等を認識しているものがあった（例えば、特許文献１参照）。
また、稼動環境をチェックする例としては、寿命に影響を及ぼす最高温度、最低温度、稼動時間、オン／オフ時間、湿度等を検知して記憶する機能等を有するＩＣセンサー・メモリを内蔵させ、連続もしくは定期的に検知し記憶し、外部の送受信機で、該記憶を読み取り、製品の寿命レベルの総合判定を可能とするものがあった（例えば、特許文献２参照）。
【０００３】
【特許文献１】
特開２００１−１１６６６２号公報（第１−４頁、図６）
【特許文献２】
特開平７−３０６２３９号公報（第２頁、図１）
【０００４】
【発明が解決しようとする課題】
前記した従来技術において、例えば特許文献１の場合、本件と同様に、電気駆動による機構部品の寿命をチェックする際には、電気接続時間を使用回数として記録するため、電気接続時間検出回路が必要となるなど回路構成が複雑になってコストアップに繋がるものであった。また、特許文献２の場合、環境データの検出処理をＩＣセンサーによって行なう技術が開示されているが、やはりＩＣセンサーの使用により、やはりコストアップに繋がってしまった。
【０００５】
本発明の目的は、構成の簡単な機械的な機構を採用することでローコストを可能とし、例えば映像機器の画面の表示方向を任意に設定するための回転機構に用いて好適な、回転頻度、動作不良、及び部品の異常等を検出できる回転駆動装置を提供することにある。
【０００６】
【課題を解決するための手段】
本発明の回転駆動装置は、
駆動ギヤと、該駆動ギヤを回転駆動する駆動源と、レバーの変位に応じてオン／オフするスイッチとを有するギヤボックスと、前記ギヤボックスを装着する第１の部材と、該第１の部材に対して相対的に回転可能に結合すると共に、前記駆動ギヤと歯合する従動ギヤと前記レバーと係合する係合部とを備え、前記駆動ギヤの回転に応じて、前記第１の部材に対して相対的に回転すると共に前記係合部が前記レバーに作用して前記スイッチをオン／オフする第２の部材と、前記スイッチのオン／オフを監視し、少なくともオン／オフ回数情報を記憶すると共に、外部機器による前記オン／オフ回数情報の取り込みを可能とする接続部を有する記憶部と
を有することを特徴とする。
【０００７】
【発明の実施の形態】
実施の形態１．
図１は、本発明による回転駆動装置を採用した実施の形態１のテレビ受像機の要部構成を示す分解斜視図であり、図５は、図１の個々の部品が組合された際のテレビ受像機を正面からみた正面図である。
【０００８】
図１に示すように、テレビ受像機１の外筐となるキャビネット２の底面部２ａの下面には、後述する所定の位置に、取り付けねじ３ｂによってギヤボックス３が取り付けられる。一方、回転台４には、その中央部に、キャビネット２の底面部２ａの略中央部に形成されて回転軸となる軸突起２ｂが嵌入する軸孔４ｃが形成されている。尚、キャビネット２が第１の部材に相当し、回転台４が第２の部材に相当する。
【０００９】
図２は、この回転台４の軸孔４ｃに、キャビネット２の底面部２ａに形成された軸突起２ｂが嵌入するように装着されたときの、キャビネット２の底面部２ａと回転台４との要部位置関係を示す平面透視図である。図３は、図２の平面透視図に示される指示線１００における断面を矢印Ａ方向から見た要部断面図である。
【００１０】
図１、図２、図３に示すように、回転台４の外周近傍には、回転中心１１０を中心とする所定の半径円周上において、複数のガイドローラ６が、各々その径方向に配置された軸７によって回転自在に保持されている。一方、キャビネット２の底面部２ａ（図３）の下面には、回転台４の複数のガイドローラ６に対向する同一円周上に沿って回転用レール２ｃが形成されている。従って、回転台４の軸孔４ｃに、キャビネット２の底面部２ａに形成された軸突起２ｂが嵌入するように装着されたとき、キャビネット２は、図３に示すように、その回転用レール２ｃが複数のガイドローラ６に当接して重力方向移動が規制されると共に、回転台４によって回転中心１１０を中心に回転可能に保持される。
【００１１】
この状態で、回転台４の軸孔４ｃから、僅かに下方に突き出た軸突起２ｂの先端部に、軸孔４ａより径大な板金５を止めねじ５ａによって固定することにより、回転台４とキャビネット２とは、離間できない状態とされる。
【００１２】
また、回転台４には、回転中心１１０を中心とする所定の半径円周上にあって、その底平面部４ｄから上方に突出し、前記軸７の内方向の各一端を保持する外周壁４ａと、この外周壁４ａより内側にあって、同じく平面部４ｄから上方に突出する内周壁４ｂとが形成されている。更に、この外周壁４ａの内側面の所定の回転角領域には、従動ギヤ４ｅが形成されている。一方、内周壁４ｂの外側面の前記従動ギヤ４ｅに対向する所定位置には、回転角で５度の間隔をおいて、係合部としての所定数の係合凸部４ｆが形成されている。
【００１３】
一方、前記したように、キャビネット２の底面部２ａに取り付けられるギヤボックス３は、図２及び図３に示すように、キャビネット２が、回転台４に装着された状態で、前記外周壁４ａと内周壁４ｂとの間に介在し、且つ前記外周壁４ａに沿う円弧状外周壁３ｃと前記内周壁４ｂに沿う円弧状内周壁３ｄとを有する。
【００１４】
図４は、このギヤボックス３の外形を示す外形斜視図である。
【００１５】
同図に示すように、このギヤボックス３には、円弧状外周壁３ｃからその一部が外部に臨む駆動ギヤ３ａが回転自在に保持さている。また、この駆動ギヤ３ａは、ギヤボックス３内に配設された図示しない駆動源としての駆動モータによって回転駆動される。押圧スイッチ９は、ギヤボックス３の円弧状内周壁３ｄの端部に形成された設置部に設置される。押圧スイッチ９は、その一対のスナップフィット９ｂ，９ｃが、設置部に形成された止め孔３ｅ，３ｆにそれぞれ嵌入し、係止されることによって固定される。このとき、押圧スイッチ９の押圧レバー９ａが、円弧状内周壁３ｄの面から内方に突出するように位置している。
【００１６】
ギヤボックス３のこれ等駆動ギヤ３ａ及び押圧スイッチ９は、図２、図３に示すように、ギヤボックス３が前記したように前記外周壁４ａと内周壁４ｂとの間に配設された際に、駆動ギヤ３ａが前記外周壁４ａに形成された従動ギヤ４ｅと歯合し、且つ押圧スイッチ９の押圧レバー９ａが前記内周壁４ｂに形成された係合凸部４ｆと係合可能となるように構成されている。
【００１７】
以上の構成において、ユーザーが、図示しない駆動モータ制御手段のリモコンを操作して、ギヤボックス３の駆動ギヤ３ａを、上方からみて時計方向、半時計方向に回転させると、この回転に応じて、キャビネット２が、回転中心１１０を中心にして矢印Ｂ，Ｃ方向にそれぞれ回動する。
【００１８】
このキャビネット２の回動に伴って、ギヤボックス３に装着されたスイッチ９は、その押圧レバー９ａが前記係合凸部４ｆに当接して押圧され、この押圧によるオン／オフを示す信号を、リード線９ｄを介して外部回路に出力する。尚、スイッチ９は、係合凸部４ｆが、前記したように回転角で５度の間隔をおいて形成されているため、キャビネット２が回転角で５度回動する毎にオン／オフを繰り返す。
【００１９】
図６は、スイッチ９から出力されるオン／オフ信号がたどる経路の一例を示す概略ブロック図である。
【００２０】
同図に示すように、キャビネット２に配設されたギヤボックス３に取り付けられた押圧スイッチ９から出力されるオン／オフ信号を伝達するリード線９ｄは、キャビネット内に配設された回路基板１０のコネクタ１０ａに接続される。この回路基板には、コネクタ１０ａに接続されて前記オン／オフ信号を入力し、前記押圧スイッチ９のオン／オフ回数Ｎをカウントし、そのカウント数を記憶し、更にオン／オフの時間間隔Ｔを記憶するデータ記憶回路１１が設けられている。尚、このデータ記憶回路１１において、これ等のデータを記憶する手段として、例えば電源バックアップのいらないＥＥＰＲＯＭが使用される。
【００２１】
そして、このテレビ受像機１をリサイクルする際には、回路基板１０に配設され、データ記憶回路１１のＥＥＰＲＯＭに接続されたコネクタ１０ｂを介して、外部のパソコン等でＥＥＰＲＯＭに記憶された前記オン／オフのカウント数Ｎ及び時間間隔Ｔの各データを読み込む。尚、データ記憶回路１１とコネクタ１０ｂが記憶部に相当する。
【００２２】
そして、例えばそのカウント数Ｎが下式
メーカー保証寿命回転回数×安全率（予測される劣化因子を含んだもの）＞ユーザーの回転機構使用回数（カウント数Ｎ）
を満足し、且つ時間間隔Ｔが正常であると判断した場合、ギヤボックス３の再使用が可能であると判断する。
【００２３】
尚、上記実施の形態において、係合凸部４ｆの間隔は回転角５度に限定されるものではなく、種々の事情に応じて適宜きめられるものである。また上記実施の形態では、ギヤボックス３をキャビネット２に装着し、係合凸部４ｆを回転台４に形成したが、これに限定されるものではなく、ギヤボックス３を回転台４に装着し、係合凸部４ｆをキャビネット２に形成してもよいなど、種々の態様を取り得るものである。
【００２４】
以上のように、本実施の形態のテレビ受像機１の回転駆動装置によれば、回転機構の使用頻度及び回転動作不良が認識できるため、例えばリサイクルセンターでこのテレビ受像機１を分解、廃却する際に、ギヤボックス３の消耗頻度と動作の良否とが確認でき、ギヤボックス３の再利用の可否が判断可能となる。
【００２５】
【発明の効果】
本発明の回転駆動装置によれば、装置の回転機構の使用頻度及び回転動作不良が認識可能となるため、リサイクルセンターで分解、廃却時にギヤボックスの消耗頻度とギヤボックスの不良とかの確認が可能となるため、再利用可能なギヤボックスを廃棄することなく、有効利用することができる。
【図面の簡単な説明】
【図１】本発明による回転駆動装置を採用した実施の形態１のテレビ受像機の要部構成を示す分解斜視図である。
【図２】キャビネット２の底面部２ａと回転台４との要部位置関係を示す平面透視図である。
【図３】図２の平面透視図に示される指示線１００における断面を矢印Ａ方向から見た要部断面図である。
【図４】ギヤボックス３の外形を示す外形斜視図である。
【図５】図１の個々の部品が組合された際のテレビ受像機を正面からみた正面図である。
【図６】スイッチ９から出力されるオン／オフ信号がたどる経路の一例を示す概略ブロック図である。
【符号の説明】
１  テレビ受像機、  ２  キャビネット、  ２ａ  底面部、  ２ｂ  軸突起、２ｃ  回転用レール、  ３  ギアボックス、  ３ａ  駆動ギア、  ３ｂ  取り付けねじ、  ３ｃ  円弧状外周壁、  ３ｄ  円弧状内周壁、  ３ｅ，３ｆ  止め孔、  ４  回転台、  ４ａ  外周壁、  ４ｂ  内周壁、  ４ｃ  軸孔、  ４ｄ  底平面部、  ４ｅ  従動ギア、  ４ｆ  係合凸部、  ５  板金、  ５ａ  止めねじ、  ６  ガイドローラ、  ７  回転軸、  ９  押圧スイッチ、  ９ａ  押圧レバー、  ９ｂ，９ｃ  スナップフィット、  ９ｄ  リード線、  １０  回路基板、  １０ａ，１０ｂ  コネクタ、  １１  データ記憶回路。
【図１】
2004289553.tif 000003
【図２】
2004289553.tif 000004
【図３】
2004289553.tif 000005
【図４】
2004289553.tif 000006
【図５】
2004289553.tif 000007
【図６】
2004289553.tif 000008